(57)【要約】【課題】  従来の固体撮像装置における、タイミングジェネレータと垂直ドライバとを接続する信号線の本数を削減する。【解決手段】  駆動制御信号生成部１３は、固体撮像素子１５に含まれる転送部を制御するために、データ信号、極性信号、およびトリガ信号を含む垂直駆動パラレルデータ２３を生成する。駆動信号生成部１４は、データ信号が変化する各サイクルにおいて、トリガ信号が立ち上がったときに、データ信号の値の組合せに基づき選択した垂直駆動信号２２を、極性信号ＰＯＬが表す極性に従い所定の電圧レベルに変化させる。駆動信号生成部１４は、遅延制御信号に従って、信号の変化を遅延させることにより、複数の垂直駆動信号２２を同時に変化させてもよい。【選択図】  図２
2005110140.tif 000002
【特許請求の範囲】
【請求項１】
入力された光信号を電気信号に変換して出力する固体撮像装置であって、
光電変換手段と、前記光電変換手段で求めた電気信号を複数の駆動信号に従って転送する複数の転送手段とを含む固体撮像素子と、
前記転送手段を制御するために、データ信号と制御信号とを含む複数の駆動制御信号を生成する駆動制御信号生成手段と、
前記駆動制御信号に基づき、前記転送手段を駆動するために必要な電圧レベルを有する前記駆動信号を生成し、前記固体撮像素子に供給する駆動信号生成手段とを備え、
前記駆動信号生成手段は、前記データ信号が変化する各サイクルにおいて、前記データ信号の値の組合せに基づき前記駆動信号から一以上の駆動信号を選択し、選択した前記駆動信号を前記制御信号によって指定された電圧レベルに変化させることを特徴とする、固体撮像装置。
【請求項２】
前記駆動制御信号の本数が、前記データ信号の値の組合せの数より少ないことを特徴とする、請求項１に記載の固体撮像装置。
【請求項３】
前記制御信号には、信号の極性を示す極性信号が含まれており、
前記駆動信号生成手段は、前記各サイクルにおいて、選択した前記駆動信号を前記極性信号が示す極性に従って変化させることを特徴とする、請求項１に記載の固体撮像装置。
【請求項４】
前記制御信号には、信号を変化させるタイミングを示すトリガ信号が含まれており、
前記駆動信号生成手段は、前記各サイクルにおいて、前記トリガ信号が所定の方向に変化するタイミングで、選択した前記駆動信号を前記制御信号によって指定された電圧レベルに変化させることを特徴とする、請求項１に記載の固体撮像装置。
【請求項５】
前記駆動信号生成手段は、前記データ信号の値の組合せが所定値であるサイクルでは、前記トリガ信号が前記所定の方向に変化しても、いずれの前記駆動信号も変化させないことを特徴とする、請求項４に記載の固体撮像装置。
【請求項６】
前記制御信号には、信号の変化を遅延させることを示す遅延制御信号が含まれており、
前記駆動信号生成手段は、前記遅延制御信号が第１の値を取るサイクルでは、いずれの前記駆動信号も変化させることなく、前記駆動制御信号を内部に一旦保持し、前記遅延制御信号が前記第１の値から第２の値に変化したサイクルでは、当該サイクルにおいて入力された前記駆動制御信号と内部に保持した前記駆動制御信号とに基づき、前記駆動信号に含まれる複数の駆動信号を指定された電圧レベルに変化させることを特徴とする、請求項１に記載の固体撮像装置。
【発明の詳細な説明】
【技術分野】
【０００１】
本発明は、固体撮像装置に関し、より特定的には、固体撮像素子を駆動するための駆動信号を電圧変換によって求める固体撮像装置に関する。
【背景技術】
【０００２】
近年、固体撮像素子を用いたカメラは、デジタルスチルカメラ、ビデオムービー、放送用カメラ、監視用カメラ、医療用内視鏡、コンピュータ画像入力カメラ、テレビ会議など、多岐にわたる応用範囲に適用されており、その出荷台数も年々増加している。特に、デジタルスチルカメラについて言えば、その出荷台数が近年急激に増加するとともに、その性能も近年著しく向上している。デジタルスチルカメラの性能向上は、撮影可能な画像の画素数において顕著であるが、これ以外に、画質の向上、筐体の小型化、低消費電力化などの点でも、めざましい進歩が見られる。
【０００３】
デジタルスチルカメラの機能面では、過去からの技術的蓄積が豊富な銀塩フイルムカメラの使い勝手に近づけるために、様々な技術が開発されている。また、デジタルスチルカメラには、従来の銀塩フイルムカメラにはない機能を搭載することができる。そのような機能の一例として、動画撮影機能がある。動画撮影機能を搭載したデジタルスチルカメラは、従来の銀塩フイルムカメラの延長として静止画を撮影し記録することに加えて、動画を撮影し記録することができる。最近のデジタルスチルカメラには、一般に、ＣＩＦ画素数（水平３５６画素×垂直２８８画素）の動画を毎秒１５フレーム撮影する機能が搭載されている。今後のデジタルスチルカメラには、ＶＧＡ画素数（水平６４０画素×垂直４８０画素）の動画を毎秒３０フレーム撮影する機能が搭載される。この程度の画素数があれば、デジタルスチルカメラによって撮影された動画像の画質は、ビデオムービーの画質に比べて遜色がなくなる。このため、デジタルスチルカメラを簡易ムービーカメラとして使用することが、今後ますます盛んになると予想される。
【０００４】
さて、上記のような固体撮像素子を用いたカメラには、図１２に示すような固体撮像装置が内蔵されている。図１２に示す従来の固体撮像装置では、固体撮像素子１５は、レンズ１１を通して入射した光信号５に対して光電変換を行う。信号処理部１６は、光電変換により得られた電気信号に対して所定の信号処理を行い、その結果を出力信号６として出力する。駆動パルス生成部８１は、制御部１２からの制御に従い、固体撮像素子１５を駆動するためのパルス信号を生成する。駆動電圧変換部８２は、生成されたパルス信号を、固体撮像素子１５に含まれる複数の転送手段を駆動するために必要な電圧レベルを有する駆動信号に変換する。一般に、駆動パルス生成部８１はタイミングジェネレータあるいはＴＧと、駆動電圧変換部８２は垂直ドライバあるいはＶドライバと呼ばれ、両者は別々の半導体チップとして構成される。その理由は、上記駆動信号は固体撮像素子１５の構成に応じて特殊なあるいは多値の電圧レベルを有する必要があるが、このような信号を生成する回路は一般的なロジック回路よりも製造コストが高くなるため、パルス信号の電圧変換を行う回路をパルス信号を生成する回路から分離して別チップとして製造したほうが、製造コストが安くなるからである。
【０００５】
図１３は、ビデオムービーに含まれる固体撮像装置における、駆動パルス生成部８１と駆動電圧変換部８２と固体撮像素子１５との接続を示す図である。ビデオムービーでは、主に動画撮影が行われる。そこでビデオムービーでは、図１３に示すように、駆動パルス生成部８１ａから固体撮像素子１５ａに対して、φＨ１、φＨ２およびφＲの合計３本の信号からなる水平駆動信号２１が流れる。また、駆動パルス生成部８１ａから駆動電圧変換部８２ａに対して、Ｖ１〜Ｖ４およびＣＨ１〜ＣＨ２の合計６本の信号からなる垂直駆動パルス信号９１ａが流れる。さらに、駆動電圧変換部８２ａから固体撮像素子１５ａに対して、φＶ１〜φＶ４の合計４本の信号からなる垂直駆動信号２２ａが流れる。なお、図１３に示す各信号は、いずれも１本の信号線によって伝送される。
【０００６】
図１４は、図１３に示す接続を有する固体撮像装置における、垂直駆動パルス信号９１ａと垂直駆動信号２２ａとを示すタイミングチャートである。図１４では、横軸および縦軸は、それぞれ、時間および電圧を表す。図１４において、垂直駆動パルス信号９１ａは、「Ｌｏｗ」および「Ｈｉｇｈ」の２種類の電圧レベル（以下、ＬレベルおよびＨレベルという）を有し、垂直駆動信号２２ａは、「ＶＬ」、「ＶＭ」および「ＶＨ」の３種類の電圧レベル（以下、ＶＬレベル、ＶＭレベルおよびＶＨレベルという）を有する。垂直駆動信号２２ａの信号波形は、固体撮像素子１５ａのタイミング仕様によって定まる。
【０００７】
図１４に示すように、信号Ｖ１〜Ｖ４を反転したものが、概ね、信号φＶ１〜φＶ４となる。駆動電圧変換部８２ａは、信号Ｖ１〜Ｖ４のＬレベルを信号φＶ１〜φＶ４のＶＭレベルに、信号Ｖ１〜Ｖ４のＨレベルを信号φＶ１〜φＶ４のＶＬレベルに対応づける電圧変換を行う。これに加えて、駆動電圧変換部８２ａは、信号ＣＨ１がＬレベルである間は、信号φＶ１をＶＨレベルに変化させ、信号ＣＨ２がＬレベルである間は、信号φＶ３をＶＨレベルに変化させる。なお、駆動電圧変換部８２ａは、信号Ｖ１がＨレベルである間は、信号ＣＨ１の値にかかわらず、信号φＶ１を常にＶＬレベルに設定し、信号Ｖ３がＨレベルである間は、信号ＣＨ２の値にかかわらず、信号φＶ３を常にＶＬレベルに設定してもよい。
【０００８】
図１５は、図１４と同様のタイミングチャートを、図１４とは異なるタイミング仕様を有する固体撮像素子１５ｂを使用した場合について示したものである。図１５では、図１４とは異なり、垂直駆動信号２２ｂのうち、信号φＶ１と信号φＶ３、および信号φＶ２と信号φＶ４が、それぞれ同時に変化することがある。このため、垂直駆動パルス信号９１ｂのうち、信号Ｖ１と信号Ｖ３、信号Ｖ２と信号Ｖ４、および信号ＣＨ１と信号ＣＨ２も、それぞれ同時に変化することがある。固体撮像装置では、このように同時に変化する垂直駆動信号によって駆動される固体撮像素子１５が使用される場合もある。
【０００９】
図１６は、図１３と同様の図を、デジタルスチルカメラに含まれる固体撮像装置について示したものである。デジタルスチルカメラでは、通常の撮影モードと、液晶ディスプレイに撮影データを表示するモードと、動画撮影モードなどとの間で、固体撮像素子１５ｃの駆動方法を切り替える必要がある。そこでデジタルスチルカメラでは、図１６に示すように、駆動パルス生成部８１ｃから駆動電圧変換部８２ｃには、Ｖ１〜Ｖ８およびＣＨ１〜ＣＨ６の合計１４本の信号からなる垂直駆動パルス信号９１ｃが流れ、駆動電圧変換部８２ｃから固体撮像素子１５ｃには、φＶ１〜φＶ８の合計８本の信号からなる垂直駆動信号２２ｃが流れる。
【００１０】
このように垂直駆動パルス信号９１や垂直駆動信号２２に含まれる信号の本数は、使用する駆動モードや固体撮像素子１５のタイミング仕様によって増減する。例えば、上述したように、デジタルスチルカメラでは、駆動パルス生成部８１から駆動電圧変換部８２に対して、一般的なビデオムービーの場合と比べて約２倍あるいはそれ以上の本数の信号が流れることがある。言い換えると、駆動パルス生成部８１と駆動電圧変換部８２とを接続する信号線の本数が、デジタルスチルカメラではビデオムービーの約２倍以上になることがある。
【００１１】
そこで、駆動パルス生成部８１と駆動電圧変換部８２とを接続する信号線の本数を削減する方法として、特許文献１では、両者の間にシリアル化したデータを流す方法が提案されている。図１７は、図１３と同様の図を、特許文献１に記載された方法を用いた場合について示したものである。図１３では、駆動パルス生成部８１ａから駆動電圧変換部８２ａに対して、Ｖ１〜Ｖ４およびＣＨ１〜ＣＨ２の合計６本の信号が流れるのに対して、図１７では、駆動制御信号生成部８３から駆動信号生成部８４に対して、垂直駆動シリアルデータ９２およびクロック信号９３の合計２本の信号が流れる。図１８に示すように、垂直駆動シリアルデータ９２は、従来の垂直駆動パルス信号９１ａに含まれる信号Ｖ１〜Ｖ４およびＣＨ１〜ＣＨ２を表すために、１サイクルの中で最大６回変化する。また、クロック信号９３は、垂直駆動シリアルデータ９２の取り込みタイミングを示すために、１サイクルの中で６回、所定の方向（図１８では立ち上がる方向）に変化する。駆動信号生成部８４は、垂直駆動シリアルデータ９２とクロック信号９３とに基づき、図１３に示したように変化する垂直駆動信号２２ａを生成し、固体撮像素子１５ａに供給する。
【００１２】
特許文献１に記載された方法を用いれば、駆動パルス生成部８１と駆動電圧変換部８２とを接続するために多くの信号線が必要となる場合でも（例えば、図１６では１４本の信号線が必要とされる）、垂直駆動シリアルデータ９２の転送レートを増大しさえすれば、駆動制御信号生成部８３と駆動信号生成部８４とを２本の信号線を用いて接続するだけで、固体撮像素子１５を正しく駆動することができる。
【特許文献１】特開平９−３０７８２０号公報（第４頁、図１および図２）
【発明の開示】
【発明が解決しようとする課題】
【００１３】
上述したように、従来の一般的な固体撮像装置では、駆動パルス生成部８１と駆動電圧変換部８２とは、固体撮像素子１５に含まれる転送手段の数と、電圧がＶＨレベルとなる垂直駆動信号によって駆動される転送手段の数との合計に等しい本数の信号線を用いて接続される。しかしながら、デジタルスチルカメラの例に見られるように、機器の機能増加に伴い、駆動パルス生成部８１と駆動電圧変換部８２とを接続する信号線の本数は、増加の一方をたどっている。このため、プリント基板上の配線占有面積が増大し、機器筐体の小型化、機器の低消費電力化が阻害されるという問題が生じている。
【００１４】
また、特許文献１に記載された方法では、駆動制御信号生成部８３と駆動信号生成部８４とを接続する信号線は常に２本で済むが、駆動制御信号生成部８３は、垂直駆動信号２２ａが変化する最小の時間間隔である１サイクル内に、従来の垂直駆動パルス信号９１ａの本数に等しい数（例えば、図１３に示す構成では６個、図１６に示す構成では１４個）のデータを送信し、駆動信号生成部８４は、送信されたデータを受信する必要がある。このため、シリアルデータの送受信、エンコードおよびデコードを行うために必要なクロック周波数が高くなり、消費電力の増大を招くという問題がある。
【００１５】
それ故に、本発明は、従来よりも高い周波数のクロック信号を使用することなく、従来の固体撮像装置における駆動パルス生成部と駆動電圧変換部とを接続する信号線の本数を削減した固体撮像装置を提供することを目的とする。
【課題を解決するための手段】
【００１６】
上記課題を解決するため、本発明の固体撮像装置は、固体撮像素子と、データ信号と制御信号とを含む複数の駆動制御信号を生成する駆動制御信号生成部と、駆動制御信号に基づき所定の電圧レベルを有する駆動信号を生成する駆動信号生成部とを備え、駆動信号生成部は、データ信号が変化する各サイクルにおいて、データ信号の値の組合せに基づき一以上の駆動信号を選択し、選択した駆動信号を制御信号によって指定された電圧レベルに変化させることを特徴とする。この場合、駆動制御信号の本数は、データ信号の値の組合せの数より少ないことが好ましい。
【００１７】
また、制御信号には極性信号が含まれており、駆動信号生成部は、各サイクルにおいて、選択した駆動信号を極性信号が示す極性に従って変化させてもよい。
【００１８】
あるいは、制御信号にはトリガ信号が含まれており、駆動信号生成部は、各サイクルにおいて、トリガ信号が所定の方向に変化するタイミングで、選択した駆動信号を指定された電圧レベルに変化させてもよい。この場合、駆動信号生成部は、データ信号の値の組合せが所定値であるサイクルでは、トリガ信号が変化しても、いずれの駆動信号も変化させないこととしてもよい。
【００１９】
あるいは、制御信号には遅延制御信号が含まれており、駆動信号生成部は、遅延制御信号が第１の値を取るサイクルでは、いずれの駆動信号も変化させることなく、駆動制御信号を内部に一旦保持し、遅延制御信号が第１の値から第２の値に変化したサイクルでは、当該サイクルにおいて入力された駆動制御信号と内部に保持した駆動制御信号とに基づき、駆動信号に含まれる複数の駆動信号を指定された電圧レベルに変化させてもよい。
【発明の効果】
【００２０】
本発明の固体撮像装置によれば、１サイクルに高々１回しか変化しない垂直駆動パラレルデータの値の組合せを用いて、変化すべき駆動信号を指定することにより、従来よりも高いクロック周波数を使用することなく、従来の固体撮像装置における駆動パルス生成部と駆動電圧変換部とを接続する信号線の本数を削減することができる。これに伴い、固体撮像装置を含む機器に含まれるプリント基板上の配線占有面積が削減されるので、機器筐体を小型化し、機器の消費電力を低減することができる。
【００２１】
また、制御信号に極性信号を含めることにより、駆動信号をいずれの電圧レベルに変化させるかを簡単に指定することができる。
【００２２】
また、制御信号にトリガ信号を含めることにより、制御信号をいずれのタイミングで変化させるかを簡単に指定することができる。特に、いずれの駆動信号も変化しないことを表すデータ信号の値の組合せを設けることにより、ノイズや外乱に対する信頼性を高めることができる。
【００２３】
また、遅延制御信号をトリガ信号に含めることにより、同時に変化することがある駆動信号によって駆動される固体撮像素子を使用する場合についても、従来よりも高いクロック周波数を使用することなく、従来の固体撮像装置における駆動パルス生成部と駆動電圧変換部とを接続する信号線の本数を削減することができる。
【発明を実施するための最良の形態】
【００２４】
（第１の実施形態）
図１は、本発明の第１の実施形態に係る固体撮像装置の構成を示す図である。図１に示す固体撮像装置は、レンズ１１、制御部１２、駆動制御信号生成部１３、駆動信号生成部１４、固体撮像素子１５、および信号処理部１６を備え、レンズ１１を通して入射した光信号５に基づき、電気信号である出力信号６を出力する。
【００２５】
図１において、固体撮像素子１５は、ＣＣＤ（Ｃｈａｒｇｅ  Ｃｏｕｐｌｅｄ  Ｄｅｖｉｃｅ）に代表される固体撮像素子である。固体撮像素子１５は、光信号を電気信号に変換する光電変換部（図示せず）と、光電変換部で求めた電気信号を転送する複数の転送部（図示せず）とを含んでいる。制御部１２は、固体撮像装置の全体に対する制御を行う。駆動制御信号生成部１３は、制御部１２からの制御に従い、固体撮像素子１５に含まれる転送部を制御するために、駆動制御信号を生成する。駆動信号生成部１４は、駆動制御信号生成部１３で生成された駆動制御信号に基づき、固体撮像素子１５に含まれる転送部を駆動するために必要な電圧レベルを有する駆動信号を生成し、固体撮像素子１５に供給する。信号処理部１６は、固体撮像素子１５から出力された電気信号に対して、所定の信号処理を電気的に実行する。なお、駆動制御信号生成部１３および駆動信号生成部１４は、従来の固体撮像装置（図１２）で言えば、それぞれ、駆動パルス生成部８１および駆動電圧変換部８２に相当する。
【００２６】
図１に示す固体撮像装置では、レンズ１１を通して入射した被写体からの光信号５は、ＣＣＤなどの固体撮像素子１５で光電変換される。光電変換により得られた電気信号には、信号処理部１６において所定の信号処理が実行され、信号処理を施した後の電気信号が、出力信号６として固体撮像装置から出力される。出力信号６には、その後さらに種々の処理が電気的に実行される。処理後の出力信号６は、例えば、ビデオムービーであれば、ビデオテープやＤＶＤ（Ｄｉｇｉｔａｌ  Ｖｅｒｓａｔｉｌｅ  Ｄｉｓｃ）ディスクなどに記録され、デジタルスチルカメラであれば、ＳＤ（Ｓｅｃｕｒｅ  Ｄｉｇｉｔａｌ）カード、スマートメディア、コンパクトフラッシュ（Ｒ）などの記録媒体に記録されたり、そのままパソコンに転送されたりする。
【００２７】
図２は、本発明の第１の実施形態に係る固体撮像装置における、駆動制御信号生成部１３と駆動信号生成部１４と固体撮像素子１５との接続を示す図である。本実施形態に係る固体撮像装置では、図２に示すように、従来の固体撮像装置と同様に（図１３を参照）、駆動制御信号生成部１３ａから固体撮像素子１５ａに対して、φＨ１、φＨ２およびφＲの合計３本の信号からなる水平駆動信号２１が流れ、駆動信号生成部１４ａから固体撮像素子１５ａには、φＶ１〜φＶ４の合計４本の信号からなる垂直駆動信号２２ａが流れる。これに対して、本実施形態に係る固体撮像装置では、従来の固体撮像装置とは異なり、駆動制御信号生成部１３ａから駆動信号生成部１４ａに対して、Ｄ０〜Ｄ２、ＰＯＬおよびＴＲＩＧの合計５本の信号からなる駆動制御信号（以下、垂直駆動パラレルデータ２３ａと呼ぶ）が流れる。
【００２８】
図３は、本実施形態に係る固体撮像装置における、垂直駆動パラレルデータ２３ａと垂直駆動信号２２ａとを示すタイミングチャートである。駆動制御信号生成部１３ａは、図３に示すように変化する垂直駆動パラレルデータ２３ａを生成する。駆動信号生成部１４ａは、垂直駆動パラレルデータ２３ａに基づき、図３に示すように変化する垂直駆動信号２２ａを生成する。なお、図３では、横軸および縦軸は、それぞれ、時間および電圧を表す。
【００２９】
垂直駆動信号２２ａに含まれる４本の信号φＶ１〜φＶ４は、固体撮像素子１５ａに含まれる複数の転送部を駆動するための信号である。これら４本の信号のうち、信号φＶ１およびφＶ３は、ＶＬレベル、ＶＭレベルおよびＶＨレベルの３種類の電圧レベルを有し、信号φＶ２およびφＶ４は、ＶＬレベルおよびＶＭレベルの２種類の電圧レベルを有する。例えば、ＶＬレベルは−８Ｖに、ＶＭレベルは０Ｖに、ＶＨレベルは＋１２Ｖに設定される。垂直駆動信号２２ａの信号波形は、固体撮像素子１５ａのタイミング仕様によって定まる。なお、図３に示す垂直駆動信号２２ａの信号波形は、図１４に示したもの同じである。
【００３０】
垂直駆動パラレルデータ２３ａは、３本のデータ信号Ｄ０〜Ｄ２と、２本の制御信号（極性信号ＰＯＬおよびトリガ信号ＴＲＩＧ）とからなる。これら５本の信号は、いずれも、ＬレベルおよびＨレベルの２種類の電圧レベルを有する。例えば、Ｌレベルは０Ｖに、Ｈレベルは＋３．３Ｖに設定される。以下では、データ信号Ｄ０〜Ｄ２が変化する最小の時間間隔を１サイクルとする。
【００３１】
データ信号Ｄ０〜Ｄ２は、図４に示すように、その値の組合せによって、Ｖ１〜Ｖ４およびＣＨ１〜ＣＨ２の６種類の信号変化を表す。図４に示すテーブルには、データ信号Ｄ０〜Ｄ２の値の組合せと、その１６進数値表現と、信号変化とが対応づけて記載されている。なお、図４に記載された文字ＬおよびＨは、それぞれ、信号がＬレベルおよびＨレベルであることを表す。
【００３２】
信号変化Ｖ１〜Ｖ４は、それぞれ、垂直駆動信号２２ａに含まれる信号φＶ１〜φＶ４が変化することを表す。駆動信号生成部１４ａは、データ信号Ｄ０〜Ｄ２の値の組合せが信号変化Ｖ１〜Ｖ４のいずれかを表すときには、信号φＶ１〜φＶ４のうちで当該信号変化に対応した信号を、ＶＬレベルまたはＶＭレベルに変化させる。また、信号変化ＣＨ１およびＣＨ２は、それぞれ、垂直駆動信号２２ａに含まれる信号φＶ１およびφＶ３が変化することを表す。駆動信号生成部１４ａは、データ信号Ｄ０〜Ｄ２の値の組合せが信号変化ＣＨ１およびＣＨ２のいずれかを表すときには、信号φＶ１およびφＶ３のうちで当該信号変化に対応した信号を、ＶＭレベルまたはＶＨレベルに変化させる。このように駆動信号生成部１４ａは、データ信号Ｄ０〜Ｄ２の値の組合せに基づき、垂直駆動信号２２ａに含まれる４本の信号φＶ１〜φＶ４から一の信号を選択する。
【００３３】
極性信号ＰＯＬは、選択された信号を変化させる時の極性を示す。駆動信号生成部１４ａは、各サイクルにおいて、選択した信号を極性信号ＰＯＬが示す極性に従って変化させる。より詳細には、駆動信号生成部１４ａは、データ信号Ｄ０〜Ｄ２の値の組合せが信号変化Ｖ１〜Ｖ４のいずれかを表すときには、選択した信号を、ＶＬレベル（極性信号ＰＯＬがＬレベルである場合）またはＶＭレベル（極性信号ＰＯＬがＨレベルである場合）に変化させる。また、駆動信号生成部１４ａは、データ信号Ｄ０〜Ｄ２の値の組合せが信号変化ＣＨ１およびＣＨ２のいずれかを表すときには、選択した信号を、ＶＭレベル（極性信号ＰＯＬがＬレベルである場合）またはＶＨレベル（極性信号ＰＯＬがＨレベルである場合）に変化させる。このように、信号変化ＣＨ１およびＣＨ２をデータ信号Ｄ０〜Ｄ２の値の組合せによって表すことにより、垂直駆動信号２２ａに含まれる信号φＶ１およびφＶ３を３種類の電圧レベルに変化させることができる。
【００３４】
トリガ信号ＴＲＩＧは、選択された信号を変化させるタイミングを示す。駆動信号生成部１４ａは、各サイクルにおいて、トリガ信号ＴＲＩＧがＬレベルからＨレベルに変化したときに（すなわち、トリガ信号ＴＲＩＧが立ち上がったときに）、選択した信号を変化させる。
【００３５】
駆動信号生成部１４ａが以上に述べた動作を行うことにより、垂直駆動信号２２ａは、垂直駆動パラレルデータ２３ａの変化に伴って、固体撮像素子１５ａのタイミング仕様を満たすように変化する。例えば、図３に示す時刻ｔ１では、データ信号Ｄ０〜Ｄ２の値の組合せは信号変化Ｖ１を表し、極性信号ＰＯＬはＨレベルである。したがって、時刻ｔ１でトリガ信号ＴＲＩＧが立ち上がると、垂直駆動信号２２ａから選択された信号φＶ１が、ＶＬレベルからＶＭレベルに変化する。同様に、時刻ｔ２では、データ信号Ｄ０〜Ｄ２の値の組合せは信号変化ＣＨ１を表し、極性信号ＰＯＬはＨレベルであるので、時刻ｔ２でトリガ信号ＴＲＩＧが立ち上がると、信号φＶ１がＶＭレベルからＶＨレベルに変化する。また、時刻ｔ３では、データ信号Ｄ０〜Ｄ２の値の組合せは信号変化ＣＨ２を表し、極性信号ＰＯＬはＬレベルであるので、時刻ｔ３でトリガ信号ＴＲＩＧが立ち上がると、信号φＶ３がＶＨレベルからＶＭレベルに変化する。
【００３６】
図５は、駆動信号生成部１４ａの詳細な構成を示す図である。図５に示す駆動信号生成部１４ａは、３ビットのデコーダ３１、６個のフリップフロップ３２、および４個の出力ドライバ３３を含んでいる。デコーダ３１は、データ信号Ｄ０〜Ｄ２をデコードし、データ信号Ｄ０〜Ｄ２の値の組合せのうち、図４に示す値の組合せに対応した６本のデコード信号を出力する。各フリップフロップ３２は、この６本のデコード信号のいずれかに対応づけられる。各フリップフロップ３２は、トリガ信号ＴＲＩＧをクロック信号とし、対応づけられたデコード信号をクロックイネーブル信号として、トリガ信号ＴＲＩＧが立ち上がったときに、極性信号ＰＯＬを内部に保持する。以下、フリップフロップ３２の出力信号を、各デコード信号に対応づけて、Ｘ１〜Ｘ６と記載する。
【００３７】
４個の出力ドライバ３３は、それぞれ、フリップフロップ３２の出力信号に基づき、垂直駆動信号２２ａに含まれる４本の信号φＶ１〜φＶ４を出力する。より詳細には、信号φＶ１を出力する出力ドライバ３３は、信号φＶ１の電圧レベルを、信号Ｘ１およびＸ５がいずれもＬレベルであるときにはＶＬレベルに、信号Ｘ１およびＸ５がいずれもＨレベルであるときはＶＨレベルに、それ以外のときにはＶＭレベルに変化させる。信号φＶ３を出力する出力ドライバ３３も、信号φＶ３、Ｘ３およびＸ６について、これと同様に動作する。信号φＶ２を出力する出力ドライバ３３は、信号φＶ２の電圧レベルを、信号Ｘ２がＬレベルであるときにはＶＬレベルに、それ以外のときにはＶＭレベルに変化させる。信号φＶ４を出力する出力ドライバ３３も、信号φＶ４およびＶ４について、これと同様に動作する。このようにして、図５に示す駆動信号生成部１４ａは、図３に示すように変化する垂直駆動パラレルデータ２３ａに基づき、図３に示すように変化する垂直駆動信号２２ａを生成することができる。
【００３８】
以上に示すように、本実施形態に係る固体撮像装置は、固体撮像素子と、データ信号と制御信号とを含む複数の垂直駆動パラレルデータを生成する駆動制御信号生成部と、垂直駆動パラレルデータに基づき、所定の電圧レベルを有する垂直駆動信号を生成する駆動信号生成部とを備えている。また、制御信号には極性信号とトリガ信号とが含まれており、駆動信号生成部は、データ信号が変化する各サイクルにおいて、データ信号の値の組合せに基づき一の垂直駆動信号を選択し、トリガ信号が立ち上がったときに、選択した垂直駆動信号を極性信号が示す極性に従って所定の電圧レベルに変化させる。
【００３９】
このように、１サイクルに高々１回しか変化しない垂直駆動パラレルデータの値の組合せを用いて、変化すべき垂直駆動信号を指定することにより、従来よりも高いクロック周波数を使用することなく、従来の固体撮像装置における駆動パルス生成部と駆動電圧変換部とを接続する信号線の本数を削減することができる。これに伴い、固体撮像装置を含む機器に含まれるプリント基板上の配線占有面積が削減されるので、機器筐体を小型化し、機器の消費電力を低減することができる。
【００４０】
（第２の実施形態）
本発明の第２の実施形態に係る固体撮像装置は、第１の実施形態と同様に図１および図２に示す構成を有し、第１の実施形態に係る固体撮像装置とほぼ同様に動作する。本実施形態に係る固体撮像装置は、垂直駆動パラレルデータのある値の組合せが、いずれの垂直駆動信号も変化させないことを表すことを特徴とする。以下、本実施形態に係る固体撮像装置について、第１の実施形態との相違点を説明する。
【００４１】
第１の実施形態では、垂直駆動パラレルデータ２３ａに含まれる３本のデータ信号Ｄ０〜Ｄ２は、その値の組合せによって、図４に示す６種類の信号変化を表すこととした。これに加えて、本実施形態では、データ信号Ｄ０〜Ｄ２のいずれもがＬレベルである値の組合せは、垂直駆動信号２２ａに含まれる４本の信号φＶ１〜φＶ４のいずれも変化させないことを表すこととする。したがって、本実施形態では、データ信号Ｄ０〜Ｄ２は、その値の組合せによって、７種類の信号変化（このうち１種類は信号無変化）を表すことになる。
【００４２】
図６は、図３と同様のタイミングチャートを、本実施形態に係る固体撮像装置について示したものである。本実施形態においては、駆動制御信号生成部１３ａは、図６に示すように変化する垂直駆動パラレルデータ２３ａを生成し、駆動信号生成部１４ａは、垂直駆動パラレルデータ２３ａに基づき、図６に示すように変化する垂直駆動信号２２ａを生成する。なお、図６に示す垂直駆動信号２２ａの信号波形は、図３および図１４に示したものと同じである。
【００４３】
本実施形態では、駆動制御信号生成部１３ａは、各サイクルにおいて、トリガ信号をＬレベルからＨレベルに変化させる。また、駆動制御信号生成部１３ａは、いずれの垂直駆動信号も変化させないサイクルでは、３本のデータ信号Ｄ０〜Ｄ２をいずれもＬレベルに変化させる。
【００４４】
駆動信号生成部１４ａは、データ信号Ｄ０〜Ｄ２がいずれもＬレベルであるサイクルでは、トリガ信号ＴＲＩＧが立ち上がっても、垂直駆動信号２２ａに含まれる４本の信号φＶ１〜φＶ４のいずれも変化させない。このような動作を行う駆動信号生成部１４ａは、例えば、図５に示すように構成される。
【００４５】
このように信号無変化を表す垂直駆動パラレルデータ２３ｂを入出力する駆動制御信号生成部１３ａおよび駆動信号生成部１４ａを用いることにより、垂直駆動信号２２ａは、垂直駆動パラレルデータ２３ａの変化に伴って、固体撮像素子１５ａのタイミング仕様を満たすように変化する。例えば、図６に示す時刻ｔ１〜ｔ３における垂直駆動パラレルデータ２３ａは、図３と同じである。したがって、第１の実施形態と同様に、時刻ｔ１では信号φＶ１がＶＭレベルに、時刻ｔ２では信号φＶ１がＶＨレベルに、時刻ｔ３では信号φＶ３がＶＭレベルに、それぞれ変化する。これに対して、図６に示す時刻ｔ４では、データ信号Ｄ０〜Ｄ２は、いずれもＬレベルである。したがって、時刻ｔ４でトリガ信号ＴＲＩＧが立ち上がっても、垂直駆動信号２２ａに含まれる４本の信号φＶ１〜φＶ４のいずれも変化しない。
【００４６】
以上に示すように、本実施形態に係る固体撮像装置では、垂直駆動パラレルデータに含まれるデータ信号の値の組合せが所定値であるサイクルでは、トリガ信号が立ち上がっても、いずれの垂直駆動信号も変化しない。このように、いずれの垂直駆動信号も変化しないことを表すデータ信号の値の組合せを設けることにより、第１の実施形態に係る固体撮像装置が奏する効果に加えて、ノイズや外乱に対する信頼性が高まるという効果がある。
【００４７】
（第３の実施形態）
本発明の第３の実施形態に係る固体撮像装置は、第１の実施形態と同様に、図１に示す構成を有する。本実施形態に係る固体撮像装置は、同時に変化する垂直駆動信号によって駆動される固体撮像素子１５を備えている。以下、本実施形態に係る固体撮像装置について、第１の実施形態との相違点を説明する。
【００４８】
図７は、図２と同様の図を、本実施形態に係る固体撮像装置について示したものである。本実施形態に係る固体撮像装置では、図７に示すように、従来の固体撮像装置や第１の実施形態に係る固体撮像装置と同様に（図２および図１３を参照）、駆動制御信号生成部１３ｂから固体撮像素子１５ｂに対して、φＨ１、φＨ２およびφＲの合計３本の信号からなる水平駆動信号２１が流れ、駆動信号生成部１４ｂから固体撮像素子１５ｂには、φＶ１〜φＶ４の合計４本の信号からなる垂直駆動信号２２ｂが流れる。これに対して、本実施形態に係る固体撮像装置では、従来の固体撮像装置や第１の実施形態に係る固体撮像装置とは異なり、駆動制御信号生成部１３ｂから駆動信号生成部１４ｂに対して、Ｄ０〜Ｄ２、ＰＯＬ、ＴＲＩＧおよびＤＥＬＹの合計６本の信号からなる垂直駆動パラレルデータ２３ｂが流れる。
【００４９】
図８は、図３と同様のタイミングチャートを、本実施形態に係る固体撮像装置について示したものである。図８では、図３とは異なり、垂直駆動信号２２ｂのうち、信号φＶ１と信号φＶ３、および信号φＶ２と信号φＶ４が、それぞれ同時に変化することがある。なお、図８に示す垂直駆動信号２２ｂの信号波形は、図１５に示したものと同じである。
【００５０】
第１の実施形態に係る固体撮像装置では、同時に変化する垂直駆動信号によって駆動される固体撮像素子１５ｂを使用することができない。そこで、本実施形態に係る固体撮像装置には、以下に示すように、第１の実施形態に係る固体撮像装置にはない、新たな機能が追加されている。
【００５１】
垂直駆動パラレルデータ２３ｂに含まれる遅延制御信号ＤＥＬＹ以外の信号は、第１の実施形態と同じである。遅延制御信号ＤＥＬＹは、駆動信号生成部１４ｂにおける信号の変化を遅延させることを示す。より詳細には、Ｈレベルである遅延制御信号ＤＥＬＹは、信号の変化を遅延させることを表し、Ｌレベルである遅延制御信号ＤＥＬＹは、直ちに信号を変化させることを表す。
【００５２】
駆動信号生成部１４ｂは、遅延制御信号ＤＥＬＹがＬレベルであるサイクルでは、第１の実施形態で説明したように、データ信号Ｄ０〜Ｄ２の値の組合せに基づき垂直駆動信号２２ｂから一の信号を選択し、トリガ信号ＴＲＩＧが立ち上がったときに、選択した信号を極性信号ＰＯＬが示す極性に従って所定の電圧レベルに変化させる。
【００５３】
これに対して、駆動信号生成部１４ｂは、遅延制御信号ＤＥＬＹがＨレベルであるサイクルでは、トリガ信号ＴＲＩＧが立ち上がっても、いずれの垂直駆動信号も変化させない。これに代えて、駆動信号生成部１４ｂは、当該サイクルにおいて入力された垂直駆動パラレルデータ２３ｂ信号を内部に一旦保持する。その後、駆動信号生成部１４ｂは、遅延制御信号ＤＥＬＹがＨレベルからＬレベルに変化したサイクルでは、トリガ信号ＴＲＩＧが立ち上がったときに、当該サイクルにおいて入力された垂直駆動パラレルデータ２３ｂに基づく信号変化を行うとともに、内部に保持した垂直駆動パラレルデータに基づく信号変化を行う。これにより、駆動信号生成部１４ｂは、垂直駆動信号２２ｂに含まれる４本の信号φＶ１〜φＶ４のうち、当該サイクルにおいて入力された垂直駆動パラレルデータ２３ｂに基づき選択された信号と、内部に保持した垂直駆動パラレルデータに基づき選択された信号とを、１サイクルの中で同時に変化させる。
【００５４】
駆動信号生成部１４ａが以上に述べた動作を行うことにより、垂直駆動信号２２ｂは、垂直駆動パラレルデータ２３ｂの変化に伴って、固体撮像素子１５ｂのタイミング仕様を満たすように変化する。例えば、図８に示す時刻ｔ５では、データ信号Ｄ０〜Ｄ２の値の組合せは信号変化Ｖ２を表し、極性信号ＰＯＬはＨレベルである。ところが、時刻ｔ５では遅延制御信号ＤＥＬＹがＨレベルであるので、トリガ信号ＴＲＩＧが立ち上がっても、信号φＶ２を始め、いずれの垂直駆動信号２２ｂも変化しない。時刻ｔ５に入力された垂直駆動パラレルデータ２３ｂは、駆動信号生成部１４ａの内部に保持される。
【００５５】
次に、図８に示す時刻ｔ６では、データ信号Ｄ０〜Ｄ２の値の組合せは信号変化Ｖ４を表し、極性信号ＰＯＬはＬレベルである。時刻ｔ６では遅延制御信号ＤＥＬＹはＬレベルであるので、トリガ信号ＴＲＩＧが立ち上がると、第１の実施形態と同様に、垂直駆動信号２２ｂから選択された信号φＶ４が、ＶＭレベルからＶＬレベルに変化する。このとき同時に、駆動信号生成部１４ｂの内部に保持された垂直駆動パラレルデータに基づき、信号φＶ２が、ＶＬレベルからＶＭレベルに変化する。このように、時刻ｔ５で指定された信号変化は時刻ｔ６まで遅延され、時刻ｔ６では信号φＶ２と信号φＶ４とが、１サイクルの中で同時に変化する。
【００５６】
同様に、図８に示す時刻ｔ７では、データ信号Ｄ０〜Ｄ２の値の組合せは信号変化ＣＨ１を表し、極性信号ＰＯＬはＬレベルである。ところが、時刻ｔ７では遅延制御信号ＤＥＬＹがＨレベルであるので、トリガ信号ＴＲＩＧが立ち上がっても、信号φＶ１を始め、いずれの垂直駆動信号２２ｂも変化しない。次に、時刻ｔ８では、データ信号Ｄ０〜Ｄ２の値の組合せは信号変化ＣＨ２を表し、極性信号ＰＯＬはＬレベルである。時刻ｔ６では、遅延制御信号ＤＥＬＹはＬレベルであるので、時刻ｔ８でトリガ信号が立ち上がると、信号φＶ３がＶＨレベルからＶＭレベルに変化すると同時に、信号φＶ１がＶＨレベルからＶＭレベルに変化する。このように、時刻ｔ７で指定された信号変化は時刻ｔ８まで遅延され、時刻ｔ８では信号φＶ１と信号φＶ３とが、１サイクルの中で同時に変化する。
【００５７】
図９は、駆動信号生成部１４ｂの詳細な構成を示す図である。図９に示す駆動信号生成部１４ｂは、５個の垂直駆動パラレルデータ保持用のフリップフロップ４１、２個の３ビットのデコーダ４２および４３、６個のフリップフロップ制御回路４４、６個のセレクタ４５、６個の出力保持用のフリップフロップ４６、並びに４個の出力ドライバ４７を含んでいる。このうち、デコーダ４２、フリップフロップ４６、および出力ドライバ４７は、それぞれ、図５に示したデコーダ３１、フリップフロップ３２、および出力ドライバ３３と同様に動作する。
【００５８】
５個のフリップフロップ４１は、トリガ信号ＴＲＩＧが立ち上がったときに、それぞれ、垂直駆動パラレルデータ２３ｂに含まれるデータ信号Ｄ０〜Ｄ２、極性信号ＰＯＬおよび遅延制御信号ＤＥＬＹを内部に保持する。デコーダ４３は、フリップフロップ４１に保持されたデータ信号Ｄ０〜Ｄ２をデコードし、デコーダ４２と同様に、６本のデコード信号を出力する。
【００５９】
６個のフリップフロップ制御回路４４および６個のセレクタ４５は、それぞれ、６個のフリップフロップ４６のいずれかに対応づけられる。各フリップフロップ制御回路４４は、フリップフロップ４６のクロックイネーブル信号と、セレクタ４５の選択制御信号とを生成する。例えば、図９で最も上に示したフリップフロップ制御回路４４には、デコーダ４２の１デコード信号（デコード結果が１であるときにＨレベルとなる信号；以下、Ｖ１という）と、デコーダ４３の１デコード信号（以下、ｖ１という）と、遅延制御信号ＤＥＬＹと、１サイクル前の遅延制御信号（以下、ｄｅｌｙという）とが入力される。このフリップフロップ制御回路４４は、次式（１）および（２）に示す論理演算により、フリップフロップ４６のクロックイネーブル信号ＣＥ１、およびセレクタ４５の選択制御信号ＳＬ１を生成する。
ＣＥ１＝／ＤＥＬＹ＆Ｖ１＋ｄｅｌｙ＆ｖ１ … （１）
ＳＬ１＝／ＤＥＬＹ＆Ｖ１                 … （２）
ただし、上式（１）および（２）において、／は否定演算、＆は論理積演算、＋は論理和演算を表す。残り５個のフリップフロップ制御回路４４も、これと同様に動作する。
【００６０】
各セレクタ４５は、フリップフロップ制御回路４４から出力された選択制御信号に従い、極性信号ＰＯＬ、または１サイクル前の極性信号（以下、ｐｏｌという）のいずれかを、フリップフロップ４６のデータ信号として出力する。例えば、図９で最も上に示したセレクタ４５は、選択制御信号ＳＬ１がＨレベルであるときは、極性信号ＰＯＬを出力し、選択制御信号ＳＬ１がＬレベルであるときは、１サイクル前の極性信号ｐｏｌを出力する。残り５個のセレクタ４５も、これと同様に動作する。
【００６１】
このようにして、図９に示す駆動信号生成部１４ｂは、図８に示すように変化する垂直駆動パラレルデータ２３ｂに基づき、図８に示すように変化する垂直駆動信号２２ｂを生成する。
【００６２】
以上に示すように、本実施形態に係る固体撮像装置では、駆動信号生成部は、遅延制御信号が信号の変化を遅延させることを表すサイクルでは、いずれの垂直駆動信号も変化させることなく、垂直駆動パラレルデータを内部に一旦保持し、遅延制御信号が直ちに信号変化させることを表すように変化したサイクルでは、当該サイクルにおいて入力された垂直駆動パラレルデータと内部に保持した垂直駆動パラレルデータとに基づき、複数の垂直駆動信号を指定された電圧レベルに１サイクル内で同時に変化させる。
【００６３】
これにより、同時に変化することがある駆動信号によって駆動される固体撮像素子を使用する場合についても、従来よりも高いクロック周波数を使用することなく、従来の固体撮像装置における駆動パルス生成部と駆動電圧変換部とを接続する信号線の本数を削減することができる。
【００６４】
なお、上述した各実施形態では、発明の理解を容易にするために、駆動パルス生成部と駆動電圧変換部とが６本の信号線によって接続される固体撮像素子１５ａ（図１３）に対して、本発明を適用した場合について説明した。この固体撮像装置に本発明を適用しても、駆動制御信号生成部と駆動信号生成部とを接続する信号線の本数は、５本に削減されるか（図２の場合）、６本のまま変化しないか（図７の場合）のいずれかである。このように削減すべき信号線の本数が比較的少ない固体撮像装置に本発明を適用しても、本発明による信号線削減の効果はあまり顕著ではない。
【００６５】
しかしながら、駆動パルス生成部と駆動電圧変換部とを接続する信号線の本数が増えれば、本発明による信号線削減の効果が現れる。例えば、駆動パルス生成部と駆動電圧変換部とが１４本の信号線によって接続される固体撮像素子１５ｃ（図１６）に対して、本発明を適用する場合を考える。この場合、１４本の信号線における１４種類の信号変化を表すためには、わずか４本のデータ信号を用いれば足りる。したがって、図１０に示すように、駆動制御信号生成部１３ｃから駆動信号生成部１４ｃに対して、４本のデータ信号Ｄ０〜Ｄ３、極性信号ＰＯＬ、およびトリガ信号ＴＲＩＧからなる合計６本の垂直駆動パラレルデータ２３ｃを流し、データ信号Ｄ０〜Ｄ３の値の組合せに対して、図１１に示すように１４種類の信号変化を対応づけることにより、固体撮像素子１５ｃを正しく駆動することができる。したがって、本発明を適用することにより、１４本から６本に、８本の信号線を削減することができる。特にデジタルスチルカメラなどでは、装置の小型化および低消費電力化が限界まで要求されるので、２つの半導体チップを接続する信号線を８本も削減できることは、装置の小型化および低消費電力化に大きな効果を与える。
【００６６】
また、駆動パルス生成部と駆動電圧変換部とを接続する信号線の本数がさらに増えれば、本発明による信号線削減の効果はさらに顕著となる。本発明によれば、垂直駆動パラレルデータに含まれるデータ信号を１本増やすごとに、駆動パルス生成部と駆動電圧変換部とを接続する信号線の本数が約２倍である固体撮像装置に対応できるようになる。
【００６７】
また、上記各実施形態では、データ信号の値の組合せは、Ｖ１〜Ｖ４およびＣＨ１〜ＣＨ２のように、いずれか１本の垂直駆動信号が変化することを表すこととしたが、データ信号の値の組合せが、２本以上の信号線が同時に変化することを表すこととしてもよい。例えば、データ信号のある値の組合せが、信号変化Ｖ１を表すとともに信号変化Ｖ２をも表すこととし、駆動信号生成部は、トリガ信号ＴＲＩＧが立ち上がったときに、信号φＶ１および信号φＶ２を同時に変化させてもよい。
【００６８】
また、第３の実施形態では、２本の垂直駆動信号が同時に変化する固体撮像素子を使用する場合について説明したが、これと同様の方法で、３本以上の垂直駆動信号が同時に変化する固体撮像素子を使用することもできる。具体的には、ｎ本（ｎは３以上の整数）の垂直駆動信号が同時に変化する固体撮像素子を使用する場合には、駆動制御信号生成部は、Ｈレベルの遅延制御信号を（ｎ−１）サイクル連続して出力し、駆動信号生成部は、遅延制御信号がＨレベルであるサイクルでは、垂直駆動パラレルデータを内部に一旦保持し、遅延制御信号がＨレベルからＬレベルに変化したサイクルでは、当該サイクルにおいて入力された垂直駆動パラレルデータに基づく信号変化と、内部に保持した（ｎ−１）サイクル分の垂直駆動パラレルデータとに基づく信号変化とを同時に行えばよい。
【産業上の利用可能性】
【００６９】
本発明の固体撮像装置は、従来の固体撮像装置における駆動パルス生成部と駆動電圧変換部と接続する信号線の本数を削減できるという効果を奏するので、デジタルスチルカメラ、ビデオムービーなどを始めとする、各種の画像入力装置や画像記録装置などに使用することができる。
【図面の簡単な説明】
【００７０】
【図１】本発明の第１から第３の実施形態に係る固体撮像装置の構成を示す図
【図２】本発明の第１および第２の実施形態に係る固体撮像装置における、駆動制御信号生成部と駆動信号生成部と固体撮像素子との接続を示す図
【図３】本発明の第１の実施形態に係る固体撮像装置における、垂直駆動パラレルデータと垂直駆動信号とを示すタイミングチャート
【図４】本発明の第１の実施形態に係る固体撮像装置における、垂直駆動パラレルデータの値の組合せと信号変化とを対応づけたテーブルを示す図
【図５】本発明の第１の実施形態に係る固体撮像装置の駆動信号生成部の詳細な構成を示す図
【図６】本発明の第２の実施形態に係る固体撮像装置における、垂直駆動パラレルデータと垂直駆動信号とを示すタイミングチャート
【図７】本発明の第３の実施形態に係る固体撮像装置における、駆動制御信号生成部と駆動信号生成部と固体撮像素子との接続を示す図
【図８】本発明の第３の実施形態に係る固体撮像装置における、垂直駆動パラレルデータと垂直駆動信号とを示すタイミングチャート
【図９】本発明の第３の実施形態に係る固体撮像装置の駆動信号供給部の詳細な構成を示す図
【図１０】本発明の変形例に係る固体撮像装置における、駆動制御信号生成部と駆動信号生成部と固体撮像素子との接続を示す図
【図１１】本発明の変形例に係る固体撮像装置における、垂直駆動パラレルデータの値の組合せと信号変化とを対応づけたテーブルを示す図
【図１２】従来の固体撮像装置の構成を示す図
【図１３】従来の固体撮像装置における、駆動パルス生成部と駆動電圧変換部と固体撮像素子との接続例を示す図
【図１４】従来の固体撮像装置における、垂直駆動パルス信号と垂直駆動信号とを示すタイミングチャート（信号の同時変化なし）
【図１５】従来の固体撮像装置における、垂直駆動パルス信号と垂直駆動信号とを示すタイミングチャート（信号の同時変化あり）
【図１６】従来の固体撮像装置における、駆動パルス生成部と駆動電圧変換部と固体撮像素子と他の接続例を示す図
【図１７】従来の固体撮像装置における、駆動制御信号生成部と駆動信号生成部と固体撮像素子との接続例を示す図
【図１８】図１７に示す固体撮像装置における、垂直駆動シリアルデータを示すタイミングチャート
【符号の説明】
【００７１】
５…光信号
６…出力信号
１１…レンズ
１２…制御部
１３…駆動制御信号生成部
１４…駆動信号生成部
１５…固体撮像素子
１６…信号処理部
２１…水平駆動信号
２２ａ…垂直駆動信号（φＶ４相、信号の同時変化なし）
２２ｂ…垂直駆動信号（φＶ４相、信号の同時変化あり）
２２ｃ…垂直駆動信号（φＶ８相、信号の同時変化なし）
２３ａ…垂直駆動パラレルデータ（データ信号３本＋制御信号２本）
２３ｂ…垂直駆動パラレルデータ（データ信号３本＋制御信号３本）
２３ｃ…垂直駆動パラレルデータ（データ信号４本＋制御信号２本）
３１、４２、４３…デコーダ
３２、４１、４６…フリップフロップ
３３、４７…出力ドライバ
４４…フリップフロップ制御回路
４５…セレクタ
【図１】
2005110140.tif 000003
【図２】
2005110140.tif 000004
【図３】
2005110140.tif 000005
【図４】
2005110140.tif 000006
【図５】
2005110140.tif 000007
【図６】
2005110140.tif 000008
【図７】
2005110140.tif 000009
【図８】
2005110140.tif 000010
【図９】
2005110140.tif 000011
【図１０】
2005110140.tif 000012
【図１１】
2005110140.tif 000013
【図１２】
2005110140.tif 000014
【図１３】
2005110140.tif 000015
【図１４】
2005110140.tif 000016
【図１５】
2005110140.tif 000017
【図１６】
2005110140.tif 000018
【図１７】
2005110140.tif 000019
【図１８】
2005110140.tif 000020